(57)【要約】      （修正有）【課題】食器棚等の引戸の取手と前記後方引戸と前記前方引戸の面重ね状態に関して、両引戸の開閉において食器棚における収納部の開閉口で摺動を容易にする引き違い戸を持つ収納家具用開閉容易な引戸を提供する。【解決手段】収納部の開閉口を開閉可能とするように引き違い戸において、引き違い戸は、開閉口の収納部側に配置された後方引戸８と、反収納部側に配置された前方引戸９とからなり、遮音性と気密性を持たせて安易に開閉できるために、各引戸ではアルミニウム製の縦枠桟の両側にＵ字またはＬ字の形状付きの取手５を持っており、各縦枠桟には内側と小口側の全域に特定の幅のポリパイルを取り付けて、前方引戸９の開閉端側で、且つ収納部側には、後方引戸８の開閉端側での開閉操作を行うことが可能な引戸になっている。【選択図】図６
0003218963.tif 000002
【実用新案登録請求の範囲】
【請求項１】
収納家具の収納部開閉口を容易に開閉可能とするように引き違い戸において、前記引き違い戸は、前記開閉口の収納部側に配置された後方引戸と、反収納部側に配置された前方引戸とからなり、遮音性と気密性を持たせて安易に開閉できるために、各引戸ではアルミニウム製の縦枠桟の両側に特定の形状付きの取手を持っており、各縦枠桟には内側と小口側の全域に特定の幅のポリパイルを取り付けて、前記前方引戸の開閉端側で、且つ収納部側には、後方引戸の開閉端側での開閉操作を可能な引戸になっていることを特徴とする収納家具用開閉容易な引戸。
【請求項２】
収納家具の収納部開閉口を開閉可能とするように引き違い戸において、前記引き違い戸は、前記後方引戸が全開とされて前記前方引戸と面重ね状態とされたとき、前記前方引戸は、前記後方引戸に比べて開閉操作方向における長さを短くされ、後方引戸の操作に、前方引戸に覆われることなく露出していることを特徴とする請求項１に記載の収納家具用開閉容易な引戸。
【請求項３】
収納家具の収納部開閉口での引き違い戸である前記後方引戸と前記前方引戸は、幅３０〜５０ｍｍ、厚さ１０〜２０ｍｍのアルミニウム製縦桟枠、及び横桟枠に透明、又は半透明の樹脂製板、及び化粧板を嵌め込んだものであり、幅３０〜５０ｍｍの前記アルミニウム製の縦枠桟の両側全面に深さ７〜１５ｍｍのＵ字、Ｌ字形状の凹掘り込み型の取手を設けており、前記前方引戸の両縦枠桟の小口側面と内側面にベース幅５〜８ｍｍ、パイル高さ３〜７ｍｍのポリパイルを、前記後方引戸の両縦枠桟の小口側面にベース幅５〜８ｍｍ、パイル高さ３〜７ｍｍのポリパイルを貼り付けていることを特徴とする請求項１、又は請求項２に記載の収納家具用開閉容易な引戸。
【請求項４】
収納家具の収納部開閉口での引き違い戸は、縦１０００〜１８００ｍｍ、横５００〜１２００ｍｍであり、前記引き違い戸のレールは上下横枠桟に二本のレール状の掘り込み溝に樹脂レールを嵌めこみ、前記レール上に摺動させて、開閉できる横１０００〜２０００ｍｍ、奥行き３００〜６００ｍｍ、高さ１６００〜２０００ｍｍの食器棚、及び収納庫、及びクローゼットの大型収納家具に使用されることを特徴とする請求項１〜請求項３のいずれかに記載の収納家具用開閉容易な引戸。
【考案の詳細な説明】
【技術分野】
【０００１】  この考案は、食器棚等の引戸の取手と前記後方引戸と前記前方引戸の面重ね状態に関して、両引戸の開閉において食器棚における収納部の開閉口で摺動を容易にする引き違い戸を持つ収納家具用開閉容易な引戸に関する。
【背景技術】
【０００２】  従来の二枚の引き違いの引き戸を有する押入れや戸棚、収納庫、食器棚等（以下押入れとする）の引き戸は、正しく閉まった状態では、右側にある引き戸にはその引き戸の右側のみに引き手が、左側にある引き戸にはその左側のみに引き手が存在する。しかし、これでは車椅子使用時や手に荷物を持っている場合、手や体が不自由又は障害がある場合は扉の開閉が困難である。【０００３】また二枚の引き違いの引き戸を有する押入れや戸棚、食器棚等は、その二枚の引き戸の位置関係により、奥の引き戸の引き手が隠れてしまいその引き戸の移動を簡単に行いがたい状態になることが多々ある。そこで、二枚の引き戸がどんな位置関係にあるときでも、奥の引き戸の移動が簡単にでき、また、左右の引き戸が入れ代わった状態でも、違和感のない閉まった状態を生じさせることのできる引き戸が提供する（特許文献２参照）。【０００４】引き戸の開閉しやすい取手を提供するにあたり、扉の上端部分から下端部分までの取手となる彫り込み部分が上から下にかけて段々と深く彫り込んである事により、足での開閉も可能にし、また、ソリッド構造により扉の強度も確保した。子供からお年寄り、障害がある方など、より多くの人が使い易い扉の形状にするものが提案されている（特許文献３参照）。【０００５】  木造住宅等の木造建築物においては、建物や部屋の出入口の開閉等に用いられる引き戸として木製の建具が多用されている。木製の建具には、反りが生じやすいため、建具の反りを防止する技術が提案されている（特許文献４参照）。
しかし、従来の反り防止技術は、建具の構造や製造工程をかなり複雑化させるものが多かった。また、従来の反り防止技術は、反り防止のみを目的とするものが殆どであり、他の機能を併せ持たせたものは少なかった。【０００６】反り防止性能に優れ、構造が比較的簡易であり、多くの人が楽に開閉操作を行うことができる引き戸用の建具として、スライド方向の前後に位置する２側面それぞれに縦溝が形成された木製の建具本体と、基部及び該基部より厚みの薄い突条部を有する断面凸字状の２つの側縁部形成材とを備えた引き戸用の建具であり、二つの側縁部形成材それぞれは、突条部の一部又は全体が金属材からなり且つ該突条部を前記縦溝に嵌合させた状態で建具本体の二側面に固定されており、少なくとも一方の側縁部形成材の基部と建具本体の側面との間に引き手として使用可能な溝が形成されていることが提案されている（特許文献４参照）。【０００７】食器棚などの引き違い戸において、後方引戸と前方引戸とが前後に重なった状態で後方引戸を閉じる操作を行う際、その操作を後方引戸の前方引戸と重ならない開閉端側表面又は裏面で行うようにすることにより、後方引戸の閉操作時の操作性を改善する上で、引き違い戸は、食器棚収納部の出入口の収納部側に配置された後方引戸と、反収納部側に配置された前方引戸とを備え、後方引戸の開閉端側で、且つ収納部側には、後方引戸の閉操作を行う取手の凹部が設けられているものが提案されている（特許文献６参照）。【０００８】引戸の開閉において大型食器棚などの収納家具における収納部の開閉口で摺動を容易にする引き違い戸を持つ収納家具用開閉容易な引戸に関するものは存在していない。
【先行技術文献】
【０００９】
【特許文献１】特開平７−２９３１２１号公報
【特許文献２】特開２０１０−２７５８４５号公報
【特許文献３】特開２００９−２９９４６１号公報
【特許文献４】特開平９−１４４４３９号公報
【特許文献５】特開２００８−２０２３６０号公報
【特許文献６】特開２０１６−１６０８７号公報
【考案の概要】
【考案が解決しようとする課題】
【００１０】大型食器棚の収納家具で引き違い戸において、後方引戸の開閉操作時の操作部となる突部は、切欠部内で開閉端側から離れた奥側にあり、操作性が悪いという問題点がある。特に、後方引戸と前方引戸とが前後に重なった状態で後方引戸を閉じる操作を行うときは、表からは見えない突部の奥側にある凹部に指先を挿入する必要があり、特に操作性が悪い。【００１１】  このような問題に鑑み本発明の課題は、食器棚の引き違い戸において、後方引戸と前方引戸とが前後に重なった状態で後方引戸を閉じる操作を行う際、その操作を後方引戸の前方引戸と重ならない開閉端側表面又は裏面で行うようにすることにより、後方引戸の閉操作時の操作性を改善することにある。【００１２】そこで、より多くの人にとって使い易い様に、扉の取手となる彫り込み部分の形状と、その形状を維持しつつ強度を確保する為のアルミニウム素材を使用したソリッド構造のユニバーサルデザイン引戸の取手を取り付けて、本考案の目的は、遮音性、密閉性も高く、引戸の反り防止性能に優れ、構造が比較的簡易であり、多くの人が楽に開閉操作を行うことのできる、引き違い戸用の引戸を提供することにある。
【課題を解決するための手段】
【００１３】収納家具の収納部開閉口を開閉可能とするように引き違い戸において、前記引き違い戸は、前記開閉口の収納部側に配置された後方引戸と、反収納部側に配置された前方引戸とからなり、遮音性と気密性を持たせて安易に開閉できるために、各引戸ではアルミニウム製の縦枠桟の両側に特定の形状付きの取手を持っており、各縦枠桟には内側と小口側の全域に特定の幅のポリパイルを取り付けて、前記前方引戸の開閉端側で、且つ収納部側には、後方引戸の開閉端側での開閉操作を行うことが可能な引戸になっている収納家具用開閉容易な引戸である。【００１４】収納家具の収納部の開閉口を開閉可能とするように引き違い戸において、前記引き違い戸は、前記後方引戸が全開とされて前記前方引戸と面重ね状態とされたとき、前記前方引戸は、前記後方引戸に比べて開閉操作方向における長さを短くされ、後方引戸の操作に、前方引戸に覆われることなく露出している。【００１５】収納家具の収納部開閉口での引き違い戸である前記後方引戸と前記前方引戸は、幅３０〜５０ｍｍ、厚さ１０〜２０ｍｍのアルミニウム製縦桟枠、及び横桟枠に透明、又は半透明の樹脂製板、及び化粧板を嵌め込んだものであり、幅３０〜５０ｍｍの前記アルミニウム製の縦枠桟の両側全面に深さ７〜１５ｍｍのＵ字、Ｌ字形状の凹掘り込み型の取手を設けており、前記前方引戸の両縦枠桟の小口側面と内側面にベース幅５〜８ｍｍ、パイル高さ３〜７ｍｍのポリパイルを、前記後方引戸の両縦枠桟の小口側面にベース幅５〜８ｍｍ、パイル高さ３〜７ｍｍのポリパイルを貼り付けている。【００１６】収納家具の収納部の開閉口での引き違い戸は、縦１０００〜１８００ｍｍ、横５００〜１２００ｍｍであり、前記引き違い戸のレールは上下横枠桟に二本のレール状の掘り込み溝に樹脂レールを嵌めこみ、前記レール上に摺動させて、開閉できる横１０００〜２０００ｍｍ、奥行き３００〜６００ｍｍ、高さ１６〜２０００ｍｍの大型食器棚、及び収納庫、及びクローゼットの大型収納家具に使用される。
【考案の効果】
【００１７】後方引戸を開状態から閉操作するときは、収納部側の操作部によって前方引戸に影響されることなく操作を行うことができる。そのため、後方引戸の閉操作時の操作性を改善することができる。後方引戸が全開とされて前方引戸と面重ね状態、即ち各引戸の面同士が互いに重なり合った状態とされたとき、前方引戸は後方引戸に比べて開閉操作方向における長さが短いため、後方引戸の操作部は、前方引戸に覆われることなく反収納部側に露出している。そのため、後方引戸を全開状態から閉操作するとき、後方引戸の操作部は、前方引戸に影響されることなく操作することができる。【００１８】後方引戸が全開とされて前方引戸と面重ね状態とされたとき、後方引戸の開位置が開閉端側へ押し出されるため、後方引戸の操作部は、前方引戸に覆われることなく反収納部側に露出している。そのため、後方引戸を全開状態から閉操作するとき、後方引戸の操作部は、前方引戸に影響されることなく操作することができる。【００１９】後方引戸の開閉端側及び反開閉端側にそれぞれ操作部が設けられているため、両引戸が面重ね状態とされて後方引戸の両操作部が共に前方引戸の後方に隠れない限り、後方引戸の２つの操作部のうちどちらかが前方引戸に覆われることなく反収納部側に露出している。そのため、後方引戸の露出している操作部は、前方引戸に影響されることなく操作することができる。
【図面の簡単な説明】
【００２０】
【図１】本考案の収納家具用開閉容易な引戸の斜視図。
【図２】収納家具用開閉容易な引戸の引き違い手の状態の正面図。
【図３】収納家具用開閉容易な引戸のレール、状態図、断面図。Ａ：姿図  Ｂ：断面図
【図４】収納家具用開閉容易な引戸の取手とポリパイルの取り付け状態図。Ａ：全体図  Ｂ：取手  Ｃ：ポリパイル取り付け
【図５】収納家具用開閉容易な引戸を使用した３段式食器棚Ａの斜視図。
【図６】収納家具用開閉容易な引戸を使用した２段式食器棚Ｂの斜視図。
【考案を実施するための形態】
【００２１】  この考案の一実施形態を、図１に示す。図１を含め以下の図は押入れをイメージして描いているが、引き違いの２枚の引き戸を有する戸棚や食器棚等も同様である。
【００２２】食器棚の収納部の開閉口を開閉可能とするように引き違い戸において、前記引き違い戸は、前記開閉口の収納部側に配置された後方引戸と、反収納部側に配置された前方引戸とからなり、遮音性と気密性を持たせて安易に開閉できるために、各引戸ではアルミニウム製の縦枠桟の両側に特定の形状付きの取手を持っており、各縦枠桟には内側と小口側の全域に特定の幅のポリパイルを取り付けて、前記前方引戸の開閉端側で、且つ収納部側には、後方引戸の開閉端側での開閉操作を行うことが可能な引戸になっている食器棚用開閉容易な引戸である。
【実施例１】
【００２３】図１に示すように、食器棚の収納部の開閉口を開閉可能とするように引き違い戸において、前記引き違い戸は、前記後方引戸が全開とされて前記前方引戸と面重ね状態とされたとき、前記前方引戸は、前記後方引戸に比べて開閉操作方向における長さを短くされ、後方引戸の操作に、前方引戸に覆われることなく露出した状態にした。【００２４】図２に示すように、食器棚の収納部の開閉口での引き違い戸である前記後方引戸と前記前方引戸は、幅４０ｍｍ、厚さ１５ｍｍのアルミニウム製縦桟枠、及び横桟枠に半透明の樹脂製板を嵌め込んだものであり、幅４０ｍｍの前記アルミニウム製の縦枠桟の両側全面に深さ１０ｍｍのＵ字、Ｌ字形状の凹掘り込み型の取手を設けて、前記前方引戸の両縦枠桟の小口側面と内側面にベース幅７ｍｍ、パイル高さ４ｍｍのポリパイルを貼り付け、前記後方引戸の両縦枠桟の小口側面にベース幅６ｍｍ、パイル高さ４ｍｍのポリパイルを貼り付けた。【００２５】食器棚の収納部の開閉口での引き違い戸は、縦１６００ｍｍ、横６００ｍｍであり、前記引き違い戸のレールは上下横枠桟に二本のレール状の掘り込み溝に樹脂レールを嵌めこみ、前記レール上に摺動させて、開閉できる横１５００ｍｍ、奥行き５００ｍｍ、高さ１６５０ｍｍの大型食器棚に使用した。これによって、大型食器棚で容易に開閉がスムーズにできて、若干内部の密閉性も向上にて虫などの侵入が防げた。
【実施例２】
【００２６】実施例１と同様に、食器棚の収納部の開閉口を開閉可能とするように引き違い戸において、前記引き違い戸は、前記後方引戸が全開とされて前記前方引戸と面重ね状態とされたとき、前記前方引戸は、前記後方引戸に比べて開閉操作方向における長さを短くされ、後方引戸の操作に、前方引戸に覆われることなく露出させた。【００２７】図３，４に示すように食器棚の収納部の開閉口での引き違い戸である前記後方引戸と前記前方引戸は、幅３０ｍｍ、厚さ１０ｍｍのアルミニウム製縦桟枠、及び横桟枠に透明の樹脂製板、及び化粧板を嵌め込んだものであり、幅３０ｍｍの前記アルミニウム製の縦枠桟の両側全面に深さ７ｍｍのＵ字の取手を設けており、前記前方引戸の両縦枠桟の小口側面と内側面にベース幅５ｍｍ、パイル高さ３ｍｍのポリパイルを貼り付け、前記後方引戸の両縦枠桟の小口側面にベース幅５ｍｍ、パイル高さ３ｍｍのポリパイルを貼り付けた。【００２８】図２，３に示すように食器棚の収納部の開閉口での引き違い戸は、縦１０００ｍｍ、横５００ｍｍであり、前記引き違い戸のレールは上下横枠桟に二本のレール状の掘り込み溝に樹脂レールを嵌めこみ、前記レール上に摺動させて、開閉できる横１０００ｍｍ、奥行き３００ｍｍ、高さ１６００ｍｍの大型食器棚に使用した。これによって、大型食器棚を子供でも開閉がスムーズにできて、扉間の間隔をほとんどなくしたために、内部の密閉性も向上にして、外部からの虫などの侵入が防げた。
【実施例３】
【００２９】実施例１と同様に、食器棚の収納部の開閉口を開閉可能とするように引き違い戸において、前記引き違い戸は、前記後方引戸が全開とされて前記前方引戸と面重ね状態とされたとき、前記前方引戸は、前記後方引戸に比べて開閉操作方向における長さを短くされ、後方引戸の操作に、前方引戸に覆われることなく露出させた。【００３０】図４に示すように、食器棚の収納部の開閉口での引き違い戸である前記後方引戸と前記前方引戸は、幅５０ｍｍ、厚さ２０ｍｍのアルミニウム製縦桟枠、及び横桟枠に透明、又は半透明の樹脂製板、及び化粧板を嵌め込んだものであり、幅５０ｍｍの前記アルミニウム製の縦枠桟の両側全面に深さ１５ｍｍのＬ字形状の凹掘り込み型の取手を設けており、前記前方引戸の両縦枠桟の小口側面と内側面にベース幅８ｍｍ、パイル高さ７ｍｍのポリパイルを貼り付け、前記後方引戸の両縦枠桟の小口側面にベース幅８ｍｍ、パイル高さ７ｍｍのポリパイルを貼り付けた。【００３１】図５，６に示すように食器棚の収納部の開閉口での引き違い戸は、縦１８００ｍｍ、横１２００ｍｍであり、前記引き違い戸のレールは上下横枠桟に二本のレール状の掘り込み溝に樹脂レールを嵌めこみ、前記レール上に摺動させて、開閉できる横２０００ｍｍ、奥行き６００ｍｍ、高さ２０００ｍｍの大型食器棚に使用した。これによって、大型食器棚で容易に開閉がスムーズにできて、若干内部の密閉性も向上にて虫などの侵入が防げた。
【符号の説明】
【００３２】１．食器棚
２．収納家具用開閉容易な引戸
３．引戸
４．引き違い戸
５．取手
６．レール
７．開閉口
８．後方引戸
９．前方引戸
１０．ポリパイル
１１．枠桟
１２．化粧板
１３．透明板材
【図１】
0003218963.tif 000003
【図２】
0003218963.tif 000004
【図３】
0003218963.tif 000005
【図４】
0003218963.tif 000006
【図５】
0003218963.tif 000007
【図６】
0003218963.tif 000008
【手続補正書】
【提出日】平成30年9月5日(2018.9.5)
【手続補正１】
【補正対象書類名】実用新案登録請求の範囲
【補正対象項目名】全文
【補正方法】変更
【補正の内容】
【実用新案登録請求の範囲】
【請求項１】
収納家具の収納部開閉口を容易に開閉可能とするように引き違い戸において、前記引き違い戸は、前記開閉口の収納部側に配置された後方引戸と、反収納部側に配置された前方引戸とからなり、遮音性と気密性を持たせて安易に開閉できるために、各引戸ではアルミニウム製の縦枠桟の両側にＵ字、又はＬ字の形状付きの取手を持っており、各縦枠桟には内側と小口側の全域に特定の幅のポリパイルを取り付けて、前記前方引戸の開閉端側で、且つ収納部側には、後方引戸の開閉端側での開閉操作を可能な引戸になっていることを特徴とする収納家具用開閉容易な引戸。
【請求項２】
収納家具の収納部開閉口を開閉可能とするように引き違い戸において、前記引き違い戸は、前記後方引戸が全開とされて前記前方引戸と面重ね状態とされたとき、前記前方引戸は、前記後方引戸に比べて開閉操作方向における長さを短くされ、後方引戸の操作に、前方引戸に覆われることなく露出していることを特徴とする請求項１に記載の収納家具用開閉容易な引戸。
【請求項３】
収納家具の収納部開閉口での引き違い戸である前記後方引戸と前記前方引戸は、幅３０〜５０ｍｍ、厚さ１０〜２０ｍｍのアルミニウム製縦桟枠、及び横桟枠に透明、又は半透明の樹脂製板、及び化粧板を嵌め込んだものであり、幅３０〜５０ｍｍの前記アルミニウム製の縦枠桟の両側全面に深さ７〜１５ｍｍのＵ字、Ｌ字形状の凹掘り込み型の取手を設けており、前記前方引戸の両縦枠桟の小口側面と内側面にベース幅５〜８ｍｍ、パイル高さ３〜７ｍｍのポリパイルを、前記後方引戸の両縦枠桟の小口側面にベース幅５〜８ｍｍ、パイル高さ３〜７ｍｍのポリパイルを貼り付けていることを特徴とする請求項１、又は請求項２に記載の収納家具用開閉容易な引戸。
【請求項４】
収納家具の収納部開閉口での引き違い戸は、縦１０００〜１８００ｍｍ、横５００〜１２００ｍｍであり、前記引き違い戸のレールは上下横枠桟に二本のレール状の掘り込み溝に樹脂レールを嵌めこみ、前記レール上に摺動させて、開閉できる横１０００〜２０００ｍｍ、奥行き３００〜６００ｍｍ、高さ１６００〜２０００ｍｍの食器棚、及び収納庫、及びクローゼットの大型収納家具に使用されることを特徴とする請求項１〜請求項３のいずれかに記載の収納家具用開閉容易な引戸。
【手続補正２】
【補正対象書類名】明細書
【補正対象項目名】００２４
【補正方法】変更
【補正の内容】
【００２４】図２に示すように、食器棚の収納部の開閉口での引き違い戸である前記後方引戸と前記前方引戸は、幅４０ｍｍ、厚さ１５ｍｍのアルミニウム製縦桟枠、及び横桟枠に半透明の樹脂製板を嵌め込んだものであり、幅４０ｍｍの前記アルミニウム製の縦枠桟の両側全面に深さ１０ｍｍのＵ字の形状の凹掘り込み型の取手を設けて、前記前方引戸の両縦枠桟の小口側面と内側面にベース幅７ｍｍ、パイル高さ４ｍｍのポリパイルを貼り付け、前記後方引戸の両縦枠桟の小口側面にベース幅６ｍｍ、パイル高さ４ｍｍのポリパイルを貼り付けた。